(57)【要約】【課題】両面印刷と高解像度の両方を実現する両面印刷ファクシミリ装置を提供する。【解決手段】システム制御部１が読出専用メモリ５からプログラムを読み出し、システムメモリ（ＤＲＡＭ）２、書込可能不揮発メモリ６を使用することにより、相手機に対して両面印刷設定時は通常解像度の４００ｄｐｉを宣言し、片面印刷設定時は高解像度の６００ｄｐｉを宣言する。または、両面印刷設定時および片面印刷設定時とも高解像度の６００ｄｐｉを宣言する。【選択図】　　　　図１
2004104268.tif 000002
【特許請求の範囲】
【請求項１】
ユーザが印刷方法を設定する操作手段と、
受信する原稿の画情報により解像度および前記印刷方法を制御するプログラムを格納する記憶手段と、
前記記憶手段から前記プログラムを読み出して制御を行う制御手段と、
前記制御手段により制御された前記解像度および前記印刷方法によって印刷する印刷手段とを有し、
両面印刷設定時は、前記相手機に対する通信モードは通常解像度の４００ｄｐｉを宣言し、片面印刷設定時は高解像度の６００ｄｐｉを宣言することを特徴とする両面印刷ファクシミリ装置。
【請求項２】
両面印刷設定時および片面印刷設定時とも、相手機に対する通信モードは６００ｄｐｉを宣言し、両面印刷設定時に６００ｄｐｉの両面印刷ができない場合は、両面印刷よりも６００ｄｐｉ印刷を優先して，６００ｄｐｉの片面印刷を行うことを特徴とする請求項１記載の両面印刷ファクシミリ装置。
【請求項３】
両面印刷設定時および片面印刷設定時とも、相手機に対する通信モードは６００ｄｐｉを宣言し、両面印刷設定時に、６００ｄｐｉの両面印刷ができない場合は、６００ｄｐｉ印刷よりも両面印刷を優先して、４００ｄｐｉの両面印刷を行うことを特徴とする請求項１記載の両面印刷ファクシミリ装置。
【請求項４】
前記操作手段により６００ｄｐｉの片面印刷と４００ｄｐｉの両面印刷の優先をユーザが変更できることを特徴とする請求項２または３記載の両面印刷ファクシミリ装置。
【請求項５】
前記解像度において、高解像度が４００＊４００ｄｐｉ、通常解像度が２００＊２００ｄｐｉの場合でも成り立つことを特徴とする請求項１から４のいずれか１項に記載の両面印刷ファクシミリ装置。
【発明の詳細な説明】
【０００１】
【発明の属する技術分野】
本発明は高解像度画像と両面印刷を可能とする両面印刷ファクシミリ装置に関する。
【０００２】
【従来の技術】
近年、ファクシミリ装置においては、１６＊１５．４ｌｉｎｅ／ｍｍまたは４００＊４００ｄｐｉの通常解像度に対し、２４＊２３．１ｌｉｎｅ／ｍｍまたは６００＊６００ｄｐｉの高解像度での印刷を要求されている。そして、（（６００／４００）＊（６００／４００））＝２．２５という計算式が示すように、６００ｄｐｉの高解像度の印刷は４００ｄｐｉの通常解像度の印刷に比べて、ページメモリ容量が２．２５倍必要になる。
【０００３】
また、両面印刷機構でも、長尺受信原稿を考えると記録紙に入らない場合があるので、分割判断をするために１ページ目からページメモリに格納して２ページそろって印刷を開始する必要がある。したがって、４００ｄｐｉの１ページ印刷に比べて、ページメモリ容量が２ページ分の２倍必要になる。
【０００４】
よって、上述のことから従来のファクシミリ装置において高解像度印刷と両面印刷との両方を実現しようとすると、結果的にページメモリ容量は２．２５＊２＝４．５となり、通常解像度の４００ｄｐｉの１ページ印刷に比べ、４．５倍のページメモリ容量を必要とする。
【０００５】
また、本発明に類似する従来技術として、両面印刷ユニットが装着されていたら拡張メモリの装着有無で受信可能な解像度を変更するファクシミリ装置がある（例えば、特許文献１参照）。該ファクシミリ装置は、該特許文献１における請求項１では、拡張メモリには言及していないが、両面印刷モード時は４００ｄｐｉ、片面印刷モード時は６００ｄｐｉで受信可能な解像度を変更している。また、請求項２から４においては、拡張メモリの装着有無ではなく、受信可能な解像度は固定で宣言するが、ユーザの設定で受信可能な解像度を変更するというものである。
【０００６】
【特許文献１】
特開２００１−３３３２５６号公報（第１−４頁、図１）
【０００７】
【発明が解決しようとする課題】
しかしながら、従来のファクシミリ装置においては、両面印刷と高解像度印刷を両立させようとすると、ページメモリは通常の片面印刷の４．５倍必要となり、コストアップにつながってしまう。
【０００８】
また、一方でコストアップを避けるために、４００ｄｐｉで宣言をした両面印刷を設定すると、受信画像が１ページでも４００ｄｐｉで受信して４００ｄｐｉの片面印刷になってしまう。また、受信画像が短い場合、６００ｄｐｉ両面印刷できる可能性があるにもかかわらず、４００ｄｐｉで受信して４００ｄｐｉの両面印刷になってしまう。さらに、４００ｄｐｉで両面印刷できる場合と、６００ｄｐｉの画像を２ページ受信して６００ｄｐｉ片面印刷になってしまう場合とがあり、ユーザにとってわかりにくい可能性もある。
【０００９】
また、特許文献１の従来例は、オプション部品である両面印刷ユニットの接続有無および拡張メモリの装着有無に応じて相手送信機に受信可能な解像度を宣言するものであり、オプション部品を必要としない両面印刷が標準機能として内蔵されている両面印刷ファクシミリ装置には対応しない。
【００１０】
本発明は、上記事情に鑑みてなされたものであり、両面印刷と高解像度の両方を実現する時に、４００ｄｐｉの１ページ印刷に比べて４．５倍のページメモリ容量が必要になるが、４．５倍も持てない場合においても、両面印刷と高解像度の両方を実現する両面印刷ファクシミリ装置を提供することを目的とする。
【００１１】
【課題を解決するための手段】
かかる目的を達成するために、請求項１記載の両面印刷ファクシミリ装置は、両面印刷設定時は相手機に対する通信モードは４００ｄｐｉを宣言し、片面印刷設定時は６００ｄｐｉを宣言することを特徴としている。
【００１２】
請求項２記載の両面印刷ファクシミリ装置は、請求項１記載の両面印刷ファクシミリ装置において、両面印刷設定時および片面印刷設定時とも、相手機に対する通信モードは６００ｄｐｉを宣言し、両面印刷設定時に６００ｄｐｉの両面印刷ができない場合は、両面印刷よりも６００ｄｐｉ印刷を優先して，６００ｄｐｉの片面印刷を行うことを特徴としている。
【００１３】
請求項３記載の両面印刷ファクシミリ装置は、請求項１記載の両面印刷ファクシミリ装置において、両面印刷設定時および片面印刷設定時とも、相手機に対する通信モードは６００ｄｐｉを宣言し、両面印刷設定時に、６００ｄｐｉの両面印刷ができない場合は、６００ｄｐｉ印刷よりも両面印刷を優先して、６００ｄｐｉで受信しても４００ｄｐｉの両面印刷を行うことを特徴としている。
【００１４】
請求項４記載の両面印刷ファクシミリ装置は、請求項２または３記載の両面印刷ファクシミリ装置において、６００ｄｐｉの片面印刷と４００ｄｐｉの両面印刷の優先をユーザが変更できることを特徴としている。
【００１５】
請求項５記載の両面印刷ファクシミリ装置は、請求項１から４のいずれか１項に記載の両面印刷ファクシミリ装置における解像度において、高解像度が４００＊４００ｄｐｉ、通常解像度が２００＊２００ｄｐｉの場合でも成り立つことを特徴としている。
【００１６】
【発明の実施の形態】
以下、本発明の実施の形態について添付図面を参照しながら詳細に説明する。
【００１７】
図１は、本発明の実施例であるファクシミリ装置のブロック図である。システム制御部１は、各部の制御処理およびファクシミリ電送制御手順を行う。システムメモリ（ＤＲＡＭ）２は、システム制御部がプログラムを実行する時に、必要なデータ等を記録したり、ワークエリアとしたりして利用する。スキャナ３は、所定の画像で原稿を読み取る。プロッタ４は、所定の解像度で画像またはリスト・レポート類を印刷する。読出専用メモリ（ＲＯＭ）５は、プログラムや各種テーブルを格納する領域である。書込可能不揮発メモリ（ＳＲＡＭ）６は、画像メモリ（ＳＡＦ）９とリンクして、システム制御上必要なパラメータやユーザ操作などで得られる登録データを格納する。網制御部７は、公衆電話回線網に接続するもので、自動発信機能を有する。Ｇ３ＦＡＸモデム８は、グループ３ファクシミリのモデム機能を実現するものである。画像メモリ（ＳＡＦ）９は、必要に応じて、送信画像や受信画像を記憶しておくものである。符号化復号化部１０は、生画像を定められた符号に圧縮したり、符号化された画像を元の生画像に伸長したりするものである。操作表示部１１は、通信操作や登録操作などを行うもので、各種のキーや表示器から構成される。
【００１８】
複合機の両面印刷機能としては、ファクシミリ受信、プリンタ、コピー、レポート印刷などが考えられる。上述の図１のファクシミリ装置は、本発明の主要機能であるファクシミリ受信、プリンタ、コピー、レポート印刷の両面印刷裏紙の関係についてのものである。
【００１９】
また、ファクシミリ装置には、排紙したままＰ１、Ｐ２と順番に読む裏面排紙のマシンと、排紙したまま最終ページからＰ１まで順番に読む表面排紙のマシンとがあり、この実施の形態では、裏面排紙のマシンについて述べることにする。表面排紙のマシンも表面、裏面の印刷順は異なるが、テキスト部と画像部に分ける考え方は同じである。
【００２０】
次にファクシミリ装置の両面印刷機構について、図１０を参照にして説明する。両面印刷機構は、排紙センサ１３、定着ローラ１４、感光体１５、レジストローら１６、転写ローラ１７、分岐センサ（ツメとフィラーが一体）１８、搬送ローラ１９、レジストセンサ２０とから構成されている。書き込み部は１箇所で、片面書き込み後に記録紙を逆転させてパスを切り替えて元のパスに戻す方式である。書き込み部が２箇所の方式でも本発明は有効であり、また、どんな書き込みスピードになっていようとも本発明は有効である。
【００２１】
ただし、裏面排紙の場合は、最初にＰ２を第１面として印刷してから、Ｐ１を第２面として印刷する。したがって、ページ分割の判断もして両面印刷するためにページメモリを２ページ分確保して、Ｐ１、Ｐ２の順にページメモリに展開してＰ２から両面印刷する。
【００２２】
次に、ファクシミリ受信時の動作についてデータパスを中心に説明する。図２は、直接受信のデータパスについて示している。システム制御部１が読出専用メモリ５からプログラムを読み出し、システムメモリ（ＤＲＡＭ）２、書込可能不揮発メモリ６を使用しながら全体を制御する。受信時は網制御部７で着呼を検出して回線を閉結して呼をつなぐ。その後、プロトコルの交換を行い画情報（圧縮）をＧ３ＦＡＸモデム８でデジタル信号に変換して圧縮データを画像メモリ（ＳＡＦ）９に蓄積するとともに、符号化復号化部１０で画情報（生）に復号化してシステムメモリ（ＤＲＡＭ）２上にあるページメモリ（ＰＭ）に展開して、そのデータをプロッタ４に送り印刷する。途中でプロッタ４がダウンしてもよいように画像メモリ（ＳＡＦ）９に蓄積して画情報を保証している。
【００２３】
次に、図３を参照にしてメモリ受信のデータパスについて説明する。画像メモリ（ＳＡＦ）９に蓄積するまでは、上述の直接受信の場合と同じであるが、符号化復号化部１０から先のデータパスは通さない。プロッタ４へも画情報（生）を送らない。これは、印字は受信後に行うメモリ受信だからである。回線を切断した後に画像メモリ（ＳＡＦ）９を読み出し、符号化復号化部１０で画情報（生）に復号化してシステムメモリ２上のページメモリ（ＰＭ）に展開してプロッタに送り印刷する。
【００２４】
次に、図４を参照にしてバッファコピーのデータパスについて説明する。スキャナ３で読み取った画情報はシステムメモリ（ＤＲＡＭ）２上にあるページメモリ（ＰＭ）に展開して、そのデータをプロッタ４に送り印刷する。
【００２５】
次に、図５を参照にしてバッファコピーのデータパスについて説明する。画像メモリ（ＳＡＦ）９に蓄積した後は、上述のメモリ受信のデータパスと同じである。スキャナ３で読み取った画情報（生）は、符号化復号化部１０で圧縮されて画像メモリ（ＳＡＦ）９に蓄積する。蓄積した画情報（圧縮）は、画像メモリ（ＳＡＦ）９から読み出して、符号化復号化部１０で画情報（生）に復号化してシステムメモリ（ＤＲＡＭ）２上のページメモリ（ＰＭ）に展開してプロッタ４に送り印刷する。
【００２６】
次に両面印刷時の受信方式について説明する。通常は直接受信、メモリ受信ともに両面印刷できる。直接受信の場合は、バックグラウンドで画像メモリ（ＳＡＦ）９に蓄積しているので、同時に画情報（圧縮）を復号化して画情報（生）にしてシステムメモリ（ＤＲＡＭ）２上のページメモリ（ＰＭ）に展開する。１ページ目を受信した時点で相手にＭＣＦを返し、ここでは印刷しない。２ページ目を受信した時点で相手にＭＣＦを返し、２ページ分の画情報（生）がＰＭにたまったら、両面印刷モードで印刷する。その後、奇数ページでは印刷せず、偶数ページを受信した時点で両面印刷モードにより印刷する。最終ページが奇数ページであれば、片面印刷モードで印刷する。ただし、印刷面を一定にしたい場合は、偶数ページは白紙を印刷して、両面機構を通した後に奇数ページを印刷する。このようにすれば、奇数ページの印刷面が一定となり、片面にロゴ入りの記録紙を使用しても、順序よく並ぶ。なお、最終印刷ページが偶数ページであれば、両面印刷モードで印刷する。
【００２７】
一方メモリ受信の場合は、すべての画情報を受け取って回線切断した後に、印刷に入る。画像メモリ（ＳＡＦ）９から奇数ページと偶数ページの画情報（圧縮）を読み出して符号化復号化部で画情報（生）に復号化して、システムメモリ（ＤＲＡＭ）２上のＰＭに展開する。プロッタ４は、２ページ分の画情報（生）がＰＭにたまったら、両面印刷モードで印刷する。最終ページが奇数ページであれば、片面印刷モードで印刷する。
【００２８】
次に両面印刷時のコピー方式について説明する。通常はバッファコピー、メモリコピーともに両面印刷できる。バッファコピーの場合は、読み取った画情報（生）をそのままシステムメモリ（ＤＲＡＭ）２上のページメモリ（ＰＭ）に展開する。１ページ目を読み取った時点では印刷しない。２ページ目を読み取った時点で２ページ分の画情報（生）がＰＭにたまったら、両面印刷モードで印刷する。その後も同様に奇数ページでは印刷せず、偶数ページを読み取った時点で両面印刷モードにより印刷する。最終ページが奇数ページであれば、片面印刷モードで印刷する。ただし、印刷面を一定にしたい場合は、偶数ページは白紙を印刷して、両面機構を通して、後に奇数ページを印刷する。このようにすれば、奇数ページの印刷面が一定となり、片面にロゴ入りの記録紙を使用しても、順序よく並ぶ。最終ページが偶数ページであれば、両面印刷モードで印刷する。
【００２９】
次に、ファクシミリ装置の操作表示部１１を示す図６から図１０を参照にしながら、本発明の実施例であるファクシミリ装置の動作について詳細に説明する。以下は便宜上、高解像度が６００＊６００ｄｐｉ、通常解像度が４００＊４００ｄｐｉとして説明するが、高解像度が４００＊４００ｄｐｉ、通常解像度が２００＊２００ｄｐｉの場合でも本発明は成り立つ。
【００３０】
まず、第１の実施例について説明する。あらかじめマシンとして両面印刷を設定しておく。設定方法は、図６（ａ）の表示の後に右矢印キーを押し、図６（ｂ）の表示の後に設定ボタンを押す。両面印刷と片面印刷の選択をする。この時に相手先による場合のみ両面印刷、またはある給紙段の時のみ両面印刷など制限を加えることは可能である。ここでは、代表してすべてが両面印刷設定されている場合のみを記載している。
【００３１】
まず、受信時に相手機に対して解像度を宣言する。両面印刷が設定されている場合、６００ｄｐｉの情報が来ると、２ページ分のページメモリ容量が確保できないので、４００ｄｐｉを宣言する。
【００３２】
必ず４００ｄｐｉ以下の解像度で受信画情報が送信されるので、Ｐ１をページメモリに展開して、次にＰ２をページメモリに展開する。この時には２ページ分のページメモリ容量が確保できているので、問題はない。そして、Ｐ２から第１面として印刷し、次にＰ１を第２面として印刷するという方法で両面印刷する。
【００３３】
一方、片面印刷を設定されている場合は、６００ｄｐｉの画情報が送られてきても、１ページ分のページメモリ容量が確保できているので６００ｄｐｉを宣言する。そして、６００ｄｐｉの画情報が送られてきたら、Ｐ１をページメモリに展開して片面印刷する。Ｐ２があれば同様にしてページメモリに展開して片面印刷する。Ｐ２の後も同一動作でできる。
【００３４】
次に、第２の実施例について説明する。第１の実施例と同様にあらかじめマシンとして両面印刷を設定しておく。設定方法は、図６（ａ）の表示の後に右矢印キーを押し、図６（ｂ）の表示の後に設定ボタンを押す。
【００３５】
第２の実施例の動作については、図７のフローチャートを参照にしながら説明する。まず、ファクシミリ受信時に相手機に対して解像度を６００ｄｐｉで宣言する。そして、相手機から６００ｄｐｉで画情報が送られてきたら、残りページが１ページのみかを判断する（Ｓ１０１）。１ページのみであれば（Ｓ１０１／ＹＥＳ）、６００ｄｐｉで片面印刷する（Ｓ１０３）。そして、次ページがあれば（Ｓ１０５／ＹＥＳ）、上述の動作を最初から繰り返し、次ページがなければ（Ｓ１０５／ＮＯ）、印刷を終了する。
【００３６】
残りページが２ページ以上あれば（Ｓ１０１／ＮＯ）、２ページ分の画情報がページメモリ全部に入りきることを確認する（Ｓ１０２）。入りきれば（Ｓ１０２／ＹＥＳ）、６００ｄｐｉで両面印刷を行い（Ｓ１０４）、入りきらなければ（Ｓ１０２／ＮＯ）、６００ｄｐｉのまま片面印刷をする（Ｓ１０３）。そして、次ページがあれば（Ｓ１０５／ＹＥＳ）、上述の動作を最初から繰り返し、次ページがなければ（Ｓ１０５／ＮＯ）、印刷を終了する。
【００３７】
次に、第３の実施例について説明する。第１および第２の実施例と同様にあらかじめマシンとして両面印刷を設定しておく。設定方法は、図６（ａ）の表示の後に右矢印キーを押し、図６（ｂ）の表示の後に設定ボタンを押す。
【００３８】
第３の実施例の動作については、図８のフローチャートを参照にしながら説明する。まず、ファクシミリ受信時に相手機に対して解像度を６００ｄｐｉで宣言する。そして、相手機から６００ｄｐｉで画情報が送られてきたら、残りページが１ページのみかを判断する（Ｓ２０１）。１ページのみであれば（Ｓ２０１／ＹＥＳ）、６００ｄｐｉで片面印刷する（Ｓ２０６）。そして、次ページがあれば（Ｓ２０７／ＹＥＳ）、上述の動作を最初から繰り返し、次ページがなければ（Ｓ２０７／ＮＯ）、印刷を終了する。
【００３９】
残りページが２ページ以上あれば（Ｓ２０１／ＮＯ）、２ページ分の画情報がページメモリ全部に入りきることを確認する（Ｓ２０２）。入りきれば（Ｓ２０２／ＹＥＳ）、６００ｄｐｉで両面印刷を行い（Ｓ２０５）、次ページがあれば（Ｓ２０７／ＹＥＳ）、上述の動作を最初から繰り返し、次ページがなければ（Ｓ２０７／ＮＯ）、印刷を終了する。
【００４０】
２ページ分の画情報がページメモリ全部に入りきらなければ（Ｓ２０２／ＮＯ）、解像度を４００ｄｐｉに変換してページメモリに再び展開する（Ｓ２０３）。そして、４００ｄｐｉで両面印刷を行い（Ｓ２０４）、次ページがあるかを確認して、次ページがあれば（Ｓ２０７／ＹＥＳ）、最初に戻り、次ページがなければ（Ｓ２０７／ＮＯ）、印刷を終了する。
【００４１】
次に、第４の実施例について説明する。上述した第２および第３の実施例においては、ユーザが高解像度と両面印刷のどちらを求めているかを規定できない。そこで、ユーザが優先させたい方を設定できるようにする。
【００４２】
図９はファクシミリ装置の操作表示部１１を示している。両面印刷を優先させる時は、図９（ａ）のように、両面印刷優先に選択カッコがつくようにして、ユーザは設定ボタンを押す。また、高解像度を優先させる時は、図９（ａ）において右矢印キーを押し、図９（ｂ）のように高解像度優先に選択カッコがつくようにして、ユーザは設定ボタンを押す。
【００４３】
以上の実施例の説明から明らかなように、本発明の両面印刷ファクシミリ装置は、両面印刷設定時と片面印刷設定時によって宣言する解像度を区別するので、ページメモリは通常の２．２５倍で処理でき、コストアップを防止できる。
【００４４】
また、両面印刷設定時および片面印刷設定時において、どちらも高解像度を宣言しておくことにより、受信原稿が１ページの場合は、通常解像度ではなく、高解像度で片面印刷でき、原稿が短い場合は、高解像度で両面印刷できる。また、高解像度印刷または両面印刷のいずれか一方を優先して行うので、ユーザにとっては、両面印刷になる場合と片面印刷になる場合とがわかりやすい。
【００４５】
また、高解像度印刷と両面印刷と、どちらを優先するかをユーザ自身が設定できる。
【００４６】
【発明の効果】
請求項１記載の両面印刷ファクシミリ装置によれば、両面印刷設定時は相手機に対する通信モードは４００ｄｐｉを宣言し、片面印刷設定時は６００ｄｐｉを宣言することを特徴としているので、ページメモリは通常片面印刷の２．２５倍で処理することができ、コストアップ額削減ができる。
【００４７】
請求項２記載の両面印刷ファクシミリ装置によれば、請求項１記載の両面印刷ファクシミリ装置において、両面印刷設定時および片面印刷設定時とも、相手機に対する通信モードは６００ｄｐｉを宣言し、両面印刷設定時に６００ｄｐｉの両面印刷ができない場合は、両面印刷よりも６００ｄｐｉ印刷を優先して，６００ｄｐｉの片面印刷を行うことを特徴としているので、受信原稿が１ページのことがあるが６００ｄｐｉで記録でき、受信原稿が短ければ６００ｄｐｉで両面印刷できる。また、ユーザは６００ｄｐｉ印刷が優先して行われることがわかりやすい。
【００４８】
請求項３記載の両面印刷ファクシミリ装置によれば、請求項１記載の両面印刷ファクシミリ装置において、両面印刷設定時および片面印刷設定時とも、相手機に対する通信モードは６００ｄｐｉを宣言し、両面印刷設定時に、６００ｄｐｉの両面印刷ができない場合は、６００ｄｐｉ印刷よりも両面印刷を優先して、６００ｄｐｉで受信しても４００ｄｐｉの両面印刷を行うことを特徴としているので、受信原稿が１ページのことがあるが６００ｄｐｉで記録でき、受信原稿が短ければ６００ｄｐｉで両面印刷できる。また、ユーザは両面印刷が優先して行われることがわかりやすい。
【００４９】
請求項４記載の両面印刷ファクシミリ装置によれば、請求項２または３記載の両面印刷ファクシミリ装置において、６００ｄｐｉの片面印刷と４００ｄｐｉの両面印刷の優先をユーザが変更できることを特徴としているので、ユーザの意思をマシンの設定に活かすことができる。
【００５０】
請求項５記載の両面印刷ファクシミリ装置によれば、請求項１から４のいずれか１項に記載の両面印刷ファクシミリ装置における解像度において、高解像度が４００＊４００ｄｐｉ、通常解像度が２００＊２００ｄｐｉの場合でも成り立つことを特徴としているので、多様な解像度に対応ができる。
【図面の簡単な説明】
【図１】本発明のファクシミリ装置の構成を示すブロック図である。
【図２】直接受信のデータパスを示す説明図である。
【図３】メモリ受信のデータパスを示す説明図である。
【図４】バッファコピーのデータパスを示す説明図である。
【図５】メモリコピーのデータパスを示す説明図である。
【図６】両面印刷設定時の表示を示す説明図である。
【図７】第２の実施例の動作を示すフローチャートである。
【図８】第３の実施例の動作を示すフローチャートである。
【図９】両面印刷の優先設定時の表示を示す説明図である。
【図１０】ファクシミリ装置の両面機構の内部構成を示す図である。
【符号の説明】
１　システム制御部
２　システムメモリ（ＤＲＡＭ）
３　スキャナ
４　プロッタ
５　読出専用メモリ（ＲＯＭ）
６　書込可能不揮発メモリ（ＳＲＡＭ）
７　網制御部
８　Ｇ３ＦＡＸモデム
９　画像メモリ（ＳＡＦ）
１０　符号化復号化部
１１　操作表示部
１２　システムバス
１３　排紙センサ
１４　定着ローラ
１５　感光体
１６　レジストローラ
１７　転写ローラ
１８　分岐センサ
１９　搬送ローラ
２０　レジストローラ
【図１】
2004104268.tif 000003
【図２】
2004104268.tif 000004
【図３】
2004104268.tif 000005
【図４】
2004104268.tif 000006
【図５】
2004104268.tif 000007
【図６】
2004104268.tif 000008
【図７】
2004104268.tif 000009
【図８】
2004104268.tif 000010
【図９】
2004104268.tif 000011
【図１０】
2004104268.tif 000012